(57)【要約】【課題】納骨のための収容空間を鉛直方向に沿って容易に増減できる階層収容ユニットを提供する。【解決手段】階層収容ユニット１、１Ａは、収容ユニット１、１Ｂ、１Ｃと鉛直方向Ｚに沿って重なるように隣接する。階層収容ユニット１は、フレーム部材１０と、石部材２０とを備える。フレーム部材１０は、対象物Ｕを収容するための収容空間Ｓを、水平方向に沿って隣接する複数の区分収容空間ＳＳに区分する。石部材２０は、対象物Ｕを収容可能に、フレーム部材１０の少なくとも一部を覆う。フレーム部材１０は、鉛直方向Ｚに沿って延びる柱状の支柱部１１と、支柱部１１の周面１１Ｂから支柱部１１の径方向外側に向けて延びている壁部１２とを含む。【選択図】図１
2019138033.tif 000002
【特許請求の範囲】
【請求項１】
収容ユニットと鉛直方向に沿って重なるように隣接する階層収容ユニットであって、
対象物を収容するための収容空間を、水平方向に沿って隣接する複数の区分収容空間に区分するフレーム部材と、
前記対象物を収容可能に、前記フレーム部材の少なくとも一部を覆う石部材と
を備え、
前記フレーム部材は、
鉛直方向に沿って延びる柱状の支柱部と、
前記支柱部の周面から前記支柱部の径方向外側に向けて延びている壁部と
を含む、階層収容ユニット。
【請求項２】
前記支柱部の長手方向に沿った端部は、前記収容ユニットと連結自在である、請求項１に記載の階層収容ユニット。
【請求項３】
柱状の軸部材を更に備え、
前記支柱部は、前記軸部材の貫通可能な筒状であり、
前記軸部材は、前記支柱部を貫通して延びており、前記収容ユニットの水平方向に沿った動きを規制する、請求項１又は請求項２に記載の階層収容ユニット。
【請求項４】
前記軸部材に対して前記支柱部を回転自在に支持する軸受部を更に備える、請求項３に記載の階層収容ユニット。
【請求項５】
前記フレーム部材を構成する材料は、金属であり、
前記壁部は、
前記収容空間の底壁を形成する多角形板状の底壁部と、
前記底壁部から立設する複数の側壁部と
を含み、
前記支柱部は、前記底壁部の中心から立設し、
前記複数の側壁部は、前記底壁部の対角線と重なるように前記支柱部の前記周面の周方向に沿って等間隔で配置される、請求項１から請求項４のいずれか１項に記載の階層収容ユニット。
【請求項６】
前記石部材は、前記対象物が載置される載置面を有する床部材を含み、
前記複数の側壁部は、前記床部材を配置するための複数の配置領域に前記底壁部を区分し、
前記床部材が前記配置領域に配置されると、前記載置面は、前記支柱部の前記径方向外側に向けて水平面に対して鉛直下方に傾斜する、請求項５に記載の階層収容ユニット。
【請求項７】
請求項１から請求項６のいずれか１項に記載の階層収容ユニットと、
前記階層収容ユニットと鉛直方向に沿って隣接する少なくとも１つの前記階層収容ユニットと、
複数の前記階層収容ユニットの鉛直方向に沿った上端部を覆う天壁部と、
前記複数の階層収容ユニットの鉛直方向に沿った下端部の下に配置される台部と
を備える、階層収容構造。
【発明の詳細な説明】
【技術分野】
【０００１】
本発明は、階層収容ユニット及び階層収容構造に関する。
【背景技術】
【０００２】
石材で構成された複数の納骨室を備える納骨墓が知られている。このような納骨墓として、特許文献１に記載の納骨墓は、専用の扉を有する納骨室に複数の骨壷の各々を収容する。特許文献１に記載の納骨墓は、複数の納骨室で構成されるブロック体を多角柱状に積み重ねる。特許文献１に記載の納骨墓によれば、複数の骨壷を個別に整然と収容できる。
【先行技術文献】
【特許文献】
【０００３】
【特許文献１】登録実用新案第３１６７８４２号公報
【発明の概要】
【発明が解決しようとする課題】
【０００４】
しかしながら、特許文献１に記載の納骨墓では、石材の重量が大きいため、複数のブロック体同士を位置決めして積み重ねることが容易ではない。従って、納骨のための収容空間を鉛直方向に沿って増減することが困難であった。
【０００５】
本発明は上記課題に鑑みてなされたものであり、納骨のための収容空間を鉛直方向に沿って容易に増減できる階層収容ユニット及び階層収容構造を提供することを目的とする。
【課題を解決するための手段】
【０００６】
本発明に係る階層収容ユニットは、収容ユニットと鉛直方向に沿って重なるように隣接する。前記階層収容ユニットは、フレーム部材と、石部材とを備える。前記フレーム部材は、前記対象物を収容するための収容空間を、水平方向に沿って隣接する複数の区分収容空間に区分する。前記石部材は、前記対象物を収容可能に、前記フレーム部材の少なくとも一部を覆う。前記フレーム部材は、鉛直方向に沿って延びる柱状の支柱部と、前記支柱部の周面から前記支柱部の径方向外側に向けて延びている壁部とを含む。
【０００７】
ある実施形態において、前記支柱部の長手方向に沿った端部は、前記収容ユニットと連結自在である。
【０００８】
ある実施形態において、階層収容ユニットは、軸部材を更に備える。前記軸部材は、柱状である。前記支柱部は、前記軸部材の貫通可能な筒状である。前記軸部材は、前記支柱部を貫通して延びており、前記収容ユニットの水平方向に沿った動きを規制する。
【０００９】
ある実施形態において、階層収容ユニットは、軸受部を更に備える。前記軸受部は、前記軸部材に対して前記支柱部を回転自在に支持する。
【００１０】
ある実施形態において、前記フレーム部材を構成する材料は、金属である。前記壁部は、前記収容空間の底壁を形成する多角形板状の底壁部と、前記底壁部から立設する複数の側壁部とを含む。前記支柱部は、前記底壁部の中心から立設する。前記複数の側壁部は、前記底壁部の対角線と重なるように前記支柱部の前記周面の周方向に沿って等間隔で配置される。
【００１１】
ある実施形態において、前記石部材は、床部材を含む。前記床部材は、前記対象物が載置される載置面を有する。前記複数の側壁部は、前記床部材を配置するための複数の配置領域に前記底壁部を区分する。前記床部材が前記配置領域に配置されると、前記載置面は、前記支柱部の前記径方向外側に向けて水平面に対して鉛直下方に傾斜する。
【００１２】
本発明に係る階層収容構造は、上記に記載の階層収容ユニットと、少なくとも１つの前記階層収容ユニットと、天壁部と、台部とを備える。少なくとも１つの前記階層収容ユニットは、前記階層収容ユニットと鉛直方向に沿って隣接する。前記天壁部は、複数の前記階層収容ユニットの鉛直方向に沿った上端部を覆う。前記台部は、前記複数の階層収容ユニットの鉛直方向に沿った下端部の下に配置される。
【発明の効果】
【００１３】
本発明によれば、納骨のための収容空間を鉛直方向に沿って容易に増減できる。
【図面の簡単な説明】
【００１４】
【図１】本発明の実施形態に係る階層収容ユニットを示す斜視図である。
【図２】（ａ）は、本発明の実施形態に係る階層収容ユニットのフレーム部材を示す平面図であり、（ｂ）は、フレーム部材を示す側面図である。
【図３】（ａ）は、本発明の実施形態に係る階層収容ユニットにおける床部材を示す平面図であり、（ｂ）は、床部材を示す側面図である。
【図４】本発明の実施形態に係る階層収容構造を示す斜視図である。
【図５】本発明の実施形態に係る階層収容構造における、天壁部の一部を示す平面図である。
【図６】本発明の実施形態に係る階層収容構造を示す側面図である。
【発明を実施するための形態】
【００１５】
以下、本発明の実施形態について、図面を参照しながら説明する。なお、図中、同一又は相当部分については同一の参照符号を付して説明を繰り返さない。
【００１６】
図１を参照して、本発明の実施形態に係る階層収容ユニット１の基本構成を説明する。図１は、階層収容ユニット１を示す斜視図である。
【００１７】
階層収容ユニット１は、例えば、多角柱状の柱体である。階層収容ユニット１は、他の階層収容ユニット１（「収容ユニット」に相当する。）と鉛直方向Ｚに沿って隣接する。階層収容ユニット１は、対象物Ｕを収容可能である。詳細には、階層収容ユニット１は、隣接する階層収容ユニット１とともに階層収容構造を構成する。階層収容構造は、例えば、階層構造を有する納骨堂である。対象物Ｕは、例えば、骨壷、又は小型の葬祭用具であるが、これらに限られない。納骨堂は、例えば、墓、又は対象物Ｕの一時的な収容施設として機能する。階層収容構造には、複数の対象物Ｕを収容可能である。なお、階層収容構造の構成については、図４を参照して後述する。
【００１８】
階層収容ユニット１は、鉛直方向Ｚに沿って他の階層収容ユニット１と隣接して配置される。以下では、階層収容ユニット１（第１階層収容ユニット１Ａ）と隣接する階層収容ユニット１を「隣接階層収容ユニット」、第１階層収容ユニット１Ａ上に配置される隣接階層収容ユニットを「第２階層収容ユニット１Ｂ」、第１階層収容ユニット１Ａ下に配置される隣接階層収容ユニットを「第３階層収容ユニット１Ｃ」と記載することがある。階層収容ユニット１と隣接階層収容ユニットとは、互いに同様の構成を備えることが好ましい。以下では、階層収容ユニット１と隣接階層収容ユニットとが同様の構成を備える実施形態について説明する。なお、実施形態の説明が煩雑になることを避けるため、同様の構成については図の記載と説明とを省略することがある。
【００１９】
階層収容ユニット１は、フレーム部材１０と、石部材２０とを備える。フレーム部材１０は、対象物Ｕを収容するための収容空間Ｓを複数の区分収容空間ＳＳに区分する。複数の区分収容空間ＳＳは、水平方向に沿って隣接する。具体的には、フレーム部材１０を構成する材料は、ＳＵＳ（Ｓｔｅｅｌ  Ｕｓｅ  Ｓｔａｉｎｌｅｓｓ：ステンレス鋼）、又はチタン合金のような金属である。フレーム部材１０は、石部材２０を支持する。フレーム部材１０は、支柱部１１と、壁部１２とを含む。
【００２０】
支柱部１１は、鉛直方向Ｚに沿って延びており、柱状である。支柱部１１は、例えば、中実又は中空の円柱である。支柱部１１の長手方向に沿った端部１１Ａは、隣接階層収容ユニット１と連結自在である。すなわち、端部１１Ａは、階層収容ユニット１と隣接階層収容ユニット１とを連結する連結機構を構成する。詳細には、端部１１Ａは、鉛直方向Ｚに沿った上端部１１Ａ１と下端部１１Ａ２とを含む。第１階層収容ユニット１Ａの上端部１１Ａ１は、第２階層収容ユニット１Ｂの下端部１１Ａ２と当接する。第１階層収容ユニット１Ａの下端部１１Ａ２は、第３階層収容ユニット１Ｃの上端部１１Ａ１と当接する。例えば、上端部１１Ａ１の形状は、下端部１１Ａ２の形状に対応して形成されている。階層収容ユニット１の上端部１１Ａ１と、対向する隣接階層収容ユニット１の下端部１１Ａ２とを当接又は離間すると、階層収容ユニット１同士を容易に連結でき、又は連結を解除できる。
【００２１】
壁部１２は、支柱部１１の軸線に対して、支柱部１１の周面１１Ｂから支柱部１１の径方向外側に向けて延びている。なお、壁部１２の構成の詳細については、図２を参照して後述する。
【００２２】
石部材２０は、対象物Ｕを収容可能に、フレーム部材１０の少なくとも一部を覆う。具体的には、石部材２０を構成する材料は、花崗岩のような石である。石部材２０は、例えば、矩形板状、略三角板状、略台形板状、又は角柱状である。石部材２０は、収容空間Ｓの外部に対してフレーム部材１０の一部を覆うように、フレーム部材１０に固定される。例えば、石部材２０は、フレーム部材１０の表面に接着される。
【００２３】
石部材２０は、床部材２１と、扉部材２２とを含む。床部材２１は、対象物Ｕが載置される載置面２１Ａを有する。扉部材２２は、開放口Ｍ近傍の壁部１２に、開放口Ｍを開閉自在に取り付けられる。開放口Ｍは、階層収容ユニット１の鉛直方向Ｚに沿った外周面に形成される。ユーザーは、例えば、扉部材２２の外側面に吸盤部材（図示せず）を吸着させ、吸盤部材を把持しながら扉部材２２を動作させる。
【００２４】
フレーム部材１０と石部材２０とは、複数の収容室４０を構成する。すなわち、支柱部１１の周囲には、複数の収容室４０が支柱部１１を取り囲むように水平方向に沿って環状に連続して形成される。収容室４０は、例えば、納骨室である。例えば、複数の収容室４０の数が８室である実施形態において、複数の収容室４０は、収容室４０Ａ、収容室４０Ｂ、収容室４０Ｃ、収容室４０Ｄ、収容室４０Ｅ、収容室４０Ｆ、収容室４０Ｇ、及び収容室４０Ｈである。複数の区分収容空間ＳＳの各々は、複数の収容室４０Ａ〜４０Ｈの各々に対応する。複数の収容室４０Ａ〜４０Ｈの各々は、支柱部１１の周面１１Ｂから支柱部１１の径方向外側に向けて、階層収容ユニット１の外周面において開口している。複数の収容室４０Ａ〜４０Ｈの各々は、例えば、１又２の対象物Ｕを開放口Ｍを介して収容可能である。
【００２５】
以上、図１を参照して説明したように、本実施形態によれば、階層収容ユニット１は、他の階層収容ユニット１と鉛直方向Ｚに沿って重なるように隣接する。階層収容ユニット１は、フレーム部材１０と、石部材２０とを備える。フレーム部材１０は、水平方向に沿って隣接する複数の区分収容空間ＳＳに収容空間Ｓを区分する。石部材２０は、フレーム部材１０の少なくとも一部を覆う。フレーム部材１０は、支柱部１１と、壁部１２とを含む。支柱部１１は、鉛直方向Ｚに沿って延びており、柱状である。壁部１２は、支柱部１１の周面１１Ｂから支柱部１１の径方向外側に向けて延びている。このように階層収容ユニット１同士を支柱部１１で位置決めして積み重ねることによって、納骨堂のような階層収容構造を軽量化しつつ構成し得る。従って、納骨のための収容空間Ｓを鉛直方向Ｚに沿って容易に増減できる。
【００２６】
さらに、本実施形態によれば、支柱部１１の長手方向に沿った端部１１Ａは、他の階層収容ユニット１の端部１１Ａと連結自在に構成し得る。これにより、階層収容ユニット１同士を積み重ねた姿勢を容易に安定させることができる。
【００２７】
なお、図１に示すように、階層収容ユニット１は、軸部材３０を更に備えることが好ましい。詳細には、軸部材３０は柱状である。軸部材３０は、例えば、中実の円柱である。軸部材３０を構成する材料は、金属（例えば、ＳＵＳ、又はチタン合金）である。階層収容ユニット１が軸部材３０を備える実施形態において、支柱部１１は、軸部材３０の貫通可能な筒状である。支柱部１１は、例えば、円筒状である。軸部材３０の直径は、支柱部１１の直径よりも小さい。
【００２８】
軸部材３０は、支柱部１１を貫通して延びており、隣接階層収容ユニット１の水平方向に沿った動きを規制する。すなわち、軸部材３０は、端部１１Ａとともに階層収容ユニット１と隣接階層収容ユニット１との連結機構を構成し得る。従って、複数の階層収容ユニット１同士を容易に位置決めできるとともに、階層収容構造の姿勢を更に容易に安定させることができる。さらに、軸部材３０を軸として階層収容ユニット１を容易に回転させることができる。従って、収容室４０の開放口Ｍの方角を調整する際の利便性を向上させることができる。その結果、納骨堂の設置場所（例えば、部屋の壁際、又は幅狭の屋内）の選択可能性を向上させることができる。なお、以下の本明細書では、階層収容ユニット１が軸部材３０を備える実施形態について説明する。
【００２９】
次に、引き続き図１を参照しつつ、図２を参照して、フレーム部材１０の構成の詳細について説明する。図２（ａ）は、フレーム部材１０を示す平面図である。図２（ｂ）は、フレーム部材１０を示す側面図である。
【００３０】
図２（ａ）及び（ｂ）に示すように、壁部１２は、底壁部１２Ａと、複数の側壁部１２Ｂとを含む。底壁部１２Ａは、例えば、多角形板状であり、収容空間Ｓの底壁を形成する。支柱部１１は、底壁部１２Ａの中心から立設する。側壁部１２Ｂは、例えば、矩形板状である。複数の側壁部１２Ｂは、底壁部１２Ａから鉛直方向Ｚに沿って立設する。複数の側壁部１２Ｂは、底壁部１２Ａの対角線と重なるように、支柱部１１の周面１１Ｂの周方向に沿って等間隔で配置される。すなわち、複数の側壁部１２Ｂは、底壁部１２Ａを複数の区分底壁部１２Ａ１に区分する。区分底壁部１２Ａ１は、例えば、平面視において略三角形状、又は略台形状である。区分底壁部１２Ａ１は、孔部１２Ａ２を有し得る。孔部１２Ａ２は、区分底壁部１２Ａ１を貫通しているため、フレーム部材１０の重量を低減できる。
【００３１】
第１階層収容ユニット１Ａ上に第２階層収容ユニット１Ｂが載置されると、第２階層収容ユニット１Ｂの底壁部１２Ａが第１階層収容ユニット１Ａのフレーム部材１０の上端面１０Ａの位置に配置され、収容空間Ｓの天井壁を兼ねる。換言すれば、第１階層収容ユニット１Ａの支柱部１１の上端部１１Ａ１と、側壁部１２Ｂの上端部１２Ｂ１とは、第２階層収容ユニット１Ｂの底壁部１２Ａの下面を、支柱部１１の軸線に対して対称な位置で支持する。
【００３２】
以上、図２を参照して説明したように、本実施形態によれば、フレーム部材１０を構成する材料は、金属である。支柱部１１は、底壁部１２Ａの中心から立設する。複数の側壁部１２Ｂは、底壁部１２Ａから鉛直方向Ｚに沿って立設する。複数の側壁部１２Ｂは、底壁部１２Ａの対角線と重なるように、支柱部１１の周面１１Ｂの周方向に沿って等間隔で配置される。このようにして、支柱部１１の軸線に対して複数の区分収容空間ＳＳを均等に形成できる。従って、複数の階層収容ユニット１が積み重ねられた際に、下方のフレーム部材１０は、上方の階層収容ユニット１の重量を分散して支持できる。その結果、階層収容ユニット１に部分的な歪みが生じることを抑制できる。さらに、石の部材と金属の部材とを組み合わせて構成するため、階層収容ユニット１の総重量を低減できる。
【００３３】
次に、引き続き図１と図２とを参照しつつ、更に図３を参照して、床部材２１の構成の詳細について説明する。図３（ａ）は、床部材２１を示す平面図である。図３（ｂ）は、床部材２１を示す側面図である。対象物Ｕが載置される載置面２１Ａは、支柱部１１の径方向外側に向けて水平面に対して鉛直下方に傾斜することが好ましい。詳細には、図３（ａ）に示すように、床部材２１は、例えば、略三角形板状、又は略台形板状である。図２を参照して説明した区分底壁部１２Ａ１の上面は、図３（ｂ）に示すように、床部材２１を配置するための「配置領域」に相当する。
【００３４】
床部材２１が区分底壁部１２Ａ１に配置されると、載置面２１Ａは、支柱部１１の径方向外側に向けて水平面に対して鉛直下方に傾斜する。すなわち、床部材２１が区分底壁部１２Ａ１に配置された状態において、支柱部１１の径方向Ｄに沿った床部材２１の端部のうち、支柱部１１の周面１１Ｂから遠い端部２１Ｃの高さＨ１は、周面１１Ｂから近い端部２１Ｂの高さＨ２よりも小さい。高さＨ１は、区分底壁部１２Ａ１の上面から端部２１Ｃの上端までの高さを示す。高さＨ２は、区分底壁部１２Ａ１の上面から端部２１Ｂの上端までの高さを示す。載置面２１Ａの傾斜状態は、床部材２１の厚みの差で構成してもよいし、床部材２１を傾けた状態で区分底壁部１２Ａ１に配置して構成してもよい。従って、階層収容ユニット１の内部に雨水が浸透した場合であっても、雨水が載置面２１Ａを伝って階層収容ユニット１の外部に排出される。その結果、不要な水分が階層収容ユニット１の内部に滞留することを抑制できる。
【００３５】
次に、図１〜図３を参照しつつ、更に図４〜図６を参照して、本発明の実施形態に係る階層収容構造１００の構成について説明する。図４は、階層収容構造１００を示す斜視図である。図５は、階層収容構造１００における天壁部１３０の一部を示す平面図である。図６は、階層収容構造１００を示す側面図である。階層収容構造１００は、図１〜図３を参照して説明した階層収容ユニット１と、少なくとも１つの隣接階層収容ユニット１とに加えて、台部１２０と、天壁部１３０とを備える。階層収容ユニット１と少なくとも１つの隣接階層収容ユニット１とは、階層収容構造本体１１０を構成する。階層収容構造本体１１０は、「複数の階層収容ユニット」に相当する。
【００３６】
階層収容構造本体１１０は、例えば、図１〜図３を参照して説明した第１階層収容ユニット１Ａと第２階層収容ユニット１Ｂと第３階層収容ユニット１Ｃとに加えて、第４階層収容ユニット１Ｄと、第５階層収容ユニット１Ｅとを含む。第４階層収容ユニット１Ｄは、鉛直方向Ｚに沿って第３階層収容ユニット１Ｃ下に隣接して配置される。第５階層収容ユニット１Ｅは、鉛直方向Ｚに沿って第４階層収容ユニット１Ｄ下に隣接して配置される。第４階層収容ユニット１Ｄと第５階層収容ユニット１Ｅとは、階層収容ユニット１と同様の構成を備えることが好ましい。階層収容構造本体１１０によれば、墓地の１聖地で、例えば、合計４０室の収容室４０（納骨室）を提供できる。従って、土地の面積当たりの収容力を向上させることができる。なお、実施形態の説明が煩雑になることを避けるため、同様の構成については図の記載と説明とを省略することがある。
【００３７】
台部１２０は、階層収容構造本体１１０の鉛直方向Ｚに沿った下端部１１２の下に配置される。以下、階層収容構造本体１１０の鉛直方向Ｚに沿った下端部１１２を「本体下端部１１２」と記載する。具体的には、台部１２０は、階層収容構造本体１１０を支持する台である。台部１２０は、台石部材１２１と、台フレーム部材１２２とを含む。台石部材１２１を構成する材料は、石部材２０と同様に、石である。台石部材１２１は、例えば、角柱状である。台石部材１２１は、例えば、２段の環状に並べて配置される。
【００３８】
台フレーム部材１２２は、例えば、本体下端部１１２と台石部材１２１との間に配置され、本体下端部１１２を支持する。台フレーム部材１２２を構成する材料は、フレーム部材１０と同様に、金属である。台フレーム部材１２２は、例えば、中心に貫通孔を有する多角形板状の部材を含む。図１を参照して説明した軸部材３０は、台フレーム部材１２２の貫通孔を貫通可能である。台部１２０と階層収容構造本体１１０とは、階層収容ユニット１同士の連結機構による連結と同様に、連結自在である。
【００３９】
天壁部１３０は、階層収容構造本体１１０の鉛直方向Ｚに沿った上端部１１１を覆う。以下、階層収容構造本体１１０の鉛直方向Ｚに沿った上端部１１１を「本体上端部１１１」と記載する。具体的には、天壁部１３０は、階層収容構造本体１１０の天壁を形成する。天壁部１３０は、天壁石部材１３１と、天壁フレーム部材１３２とを含む。天壁石部材１３１は、外部に対して天壁フレーム部材１３２を覆うように、天壁フレーム部材１３２に固定される。天壁石部材１３１を構成する材料は、石部材２０と同様に、石である。天壁石部材１３１は、例えば、略三角板状、略台形板状、角柱状、又は団子形状である。
【００４０】
天壁フレーム部材１３２は、本体上端部１１１と天壁石部材１３１との間に配置され、天壁石部材１３１を支持する。天壁フレーム部材１３２を構成する材料は、フレーム部材１０と同様に、金属である。図５に示すように、天壁フレーム部材１３２は、例えば、多角形板部材１３３と棒部材１３４と円筒部材１３５とを含む。円筒部材１３５は、多角形板部材１３３の中心から立設する。図１を参照して説明した軸部材３０は、円筒部材１３５を貫通可能である。天壁部１３０と階層収容構造本体１１０とは、階層収容ユニット１同士の連結機構による連結と同様に、連結自在である。図６に示すように、軸部材３０は、例えば、支柱部１１の軸線上を、天壁部１３０から階層収容構造本体１１０を経由して台部１２０まで挿通し得る。さらに、軸部材３０の下部の先端は、台部１２０を挿通して地面に固定され得る。従って、階層収容構造１００の姿勢を安定させることができる。その結果、階層収容構造１００の耐震性を向上させることができる。
【００４１】
なお、図６に示すように、階層収容ユニット１は、軸受部５０を更に備えることが好ましい。軸受部５０は、軸部材３０に対して支柱部１１を回転自在に支持する。具体的には、軸受部５０は、軸受ユニットであり、例えば、円筒孔を有する転がり軸受ユニットである。軸受部５０は、玉軸受のような転がり軸受と、軸受箱とを含む。軸受部５０は、本体下端部１１２において支柱部１１の下端部１１Ａ２近傍に配置されて、階層収容構造本体１１０と台部１２０とを接続する。例えば、軸受部５０は、支柱部１１の下端部１１Ａ２と、台フレーム部材１２２とを接続する。軸部材３０は、軸受部５０の円筒孔を挿通する。従って、階層収容ユニット１を更に容易に回転させることができる。その結果、収容室４０の開放口Ｍの方角を調整する際の利便性を更に向上させることができる。なお、軸受部５０は、本体上端部１１１において上端部１１Ａ１近傍に更に配置されていてもよい。すなわち、軸受部５０は、階層収容構造本体１１０と天壁部１３０とを接続することもできる。
【００４２】
以上、図面（図１〜図６）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状等は一例であって、特に限定されるものではなく、本発明の構成から実質的に逸脱しない範囲で種々の変更が可能である。
【００４３】
（１）図１〜図６を参照して説明した石部材２０を構成する材料は、石であったが、本発明はこれに限られない。石部材２０は、例えば、金属部材を含んでいてもよい。例えば、扉部材２２は、金属材料で構成されるスライド式の蝶番部材を含み得る。このような実施形態において、蝶番部材は、側壁部１２Ｂと矩形板状の石板部材とを接続する。蝶番部材は、側壁部１２Ｂに対して石板部材を回動可能に石板部材の端部を保持する。
【００４４】
（２）図１を参照して説明した支柱部１１は、円柱状であったが、本発明はこれに限られない。支柱部１１の形状は、隣接する階層収容ユニットの端部１１Ａが互いに当接可能でありさえすればよい。支柱部１１は、例えば、角柱状及び角筒状であってもよい。具体的には、支柱部１１は、例えば、中実又は中空の多角柱であってもよい。
【００４５】
（３）図１を参照して説明した階層収容ユニット１と隣接階層収容ユニット１との連結機構において、支柱部１１の上端部１１Ａ１の形状は、下端部１１Ａ２の形状に対応して形成されており、互いに当接していたが、本発明はこれに限られない。端部１１Ａの形状は、例えば、鉛直方向Ｚに沿って凹状又は凸状であってもよい。上端部１１Ａ１は、例えば、凹状に形成される。下端部１１Ａ２は、上端部１１Ａ１に対応して凸状に形成される。階層収容ユニット１の上端部１１Ａ１と、対向する隣接階層収容ユニット１の下端部１１Ａ２とを嵌合することによって、隣接する階層収容ユニット１同士を固定できる。従って、簡易な構成で階層収容ユニット同士を強固に連結できる。
【００４６】
また、端部１１Ａの形状は、例えば、螺子状であってもよい。上端部１１Ａ１は、例えば、雌螺子状に形成される。下端部１１Ａ２は、上端部１１Ａ１に対応して雄螺子状に形成される。階層収容ユニット１の上端部１１Ａ１と、対向する隣接階層収容ユニット１の下端部１１Ａ２とを螺合することによって、隣接する階層収容ユニット１同士を固定できる。従って、簡易な構成で階層収容ユニット同士を更に強固に連結できる。
【００４７】
また、筒状の支柱部１１を軸部材３０が挿通する実施形態では、端部１１Ａ同士は、互いに積み重ね可能な形状でありさえすればよい。すなわち、連結機構は、隣接する階層収容ユニット１同士による水平方向の位置ズレを抑制可能でありさえすればよい。
【産業上の利用可能性】
【００４８】
本発明は、階層収容構造の分野に利用可能である。
【符号の説明】
【００４９】
１、１Ａ、１Ｂ、１Ｃ、１Ｄ、１Ｅ    階層収容ユニット、収容ユニット
１０      フレーム部材
１００    階層収容構造
１１      支柱部
１１Ａ    端部
１１１    上端部（本体上端部）
１１２    下端部（本体下端部）
１１Ｂ    周面
１２      壁部
１２０    台部
１３０    天壁部
２０      石部材
Ｓ        収容空間
ＳＳ      区分収容空間
Ｕ        対象物
Ｚ        鉛直方向
【図１】
2019138033.tif 000003
【図２】
2019138033.tif 000004
【図３】
2019138033.tif 000005
【図４】
2019138033.tif 000006
【図５】
2019138033.tif 000007
【図６】
2019138033.tif 000008
【手続補正書】
【提出日】平成30年5月9日(2018.5.9)
【手続補正２】
【補正対象書類名】特許請求の範囲
【補正対象項目名】全文
【補正方法】変更
【補正の内容】
【特許請求の範囲】
【請求項１】
納骨ユニットと鉛直方向に沿って重なるように隣接する階層納骨ユニットであって、
遺骨を含む対象物を収容するための収容空間を、水平方向に沿って隣接する複数の区分収容空間に区分するフレーム部材と、
前記対象物を収容可能に、前記フレーム部材の少なくとも一部を覆う石部材と
を備え、
前記フレーム部材は、
鉛直方向に沿って延びる柱状の支柱部と、
前記支柱部の周面から前記支柱部の径方向外側に向けて延びている壁部と
を含み、
前記壁部は、
前記収容空間の底壁を形成する多角形板状の底壁部と、
前記底壁部から立設する複数の側壁部と
を含み、
前記複数の側壁部は、前記底壁部の対角線と重なるように前記支柱部の前記周面の周方向に沿って等間隔で配置される、階層納骨ユニット。
【請求項２】
前記支柱部の長手方向に沿った端部は、前記納骨ユニットと連結自在である、請求項１に記載の階層納骨ユニット。
【請求項３】
柱状の軸部材を更に備え、
前記支柱部は、前記軸部材の貫通可能な筒状であり、
前記軸部材は、前記支柱部を貫通して延びており、前記納骨ユニットの水平方向に沿った動きを規制する、請求項１又は請求項２に記載の階層納骨ユニット。
【請求項４】
前記軸部材に対して前記支柱部を回転自在に支持する軸受部を更に備え、
前記軸受部は、転がり軸受を含む、請求項３に記載の階層納骨ユニット。
【請求項５】
前記石部材は、前記対象物が載置される載置面を有する床部材を含み、
前記複数の側壁部は、前記床部材を配置するための複数の配置領域に前記底壁部を区分し、
前記床部材が前記配置領域に配置されると、前記載置面は、前記支柱部の前記径方向外側に向けて水平面に対して鉛直下方に傾斜する、請求項１から請求項４のいずれか１項に記載の階層納骨ユニット。
【請求項６】
請求項１から請求項５のいずれか１項に記載の階層納骨ユニットと、
前記階層納骨ユニットと鉛直方向に沿って隣接する少なくとも１つの前記階層納骨ユニットと、
複数の前記階層納骨ユニットの鉛直方向に沿った上端部を覆う天壁部と、
前記複数の階層納骨ユニットの鉛直方向に沿った下端部の下に配置される台部と
を備える、階層納骨構造。
【手続補正書】
【提出日】平成30年9月27日(2018.9.27)
【手続補正２】
【補正対象書類名】特許請求の範囲
【補正対象項目名】全文
【補正方法】変更
【補正の内容】
【特許請求の範囲】
【請求項１】
階層納骨ユニットと、
前記階層納骨ユニットと鉛直方向に沿って重なって隣接する少なくとも１つの階層納骨ユニットと
を備え、
前記階層納骨ユニットは、
遺骨を含む対象物を収容するための収容空間を、水平方向に沿って隣接する複数の区分収容空間に区分するフレーム部材と、
前記対象物を収容可能に、前記フレーム部材の少なくとも一部を覆う石部材と
を備え、
前記フレーム部材は、
鉛直方向に沿って延びる柱状の支柱部と、
前記支柱部の周面から前記支柱部の径方向外側に向けて延びている壁部と
を含み、
前記壁部は、
前記収容空間の底壁を形成する多角形板状の底壁部と、
前記底壁部から立設する複数の側壁部と
を含み、
前記複数の側壁部は、前記底壁部の対角線と重なるように前記支柱部の前記周面の周方向に沿って等間隔で配置され、
前記石部材は、前記対象物が載置される載置面を有する床部材を含み、
前記複数の側壁部は、前記床部材を配置するための複数の配置領域に前記底壁部を区分し、
区分された前記底壁部は、貫通した孔部を有し、
前記床部材が前記孔部を覆うように前記配置領域に配置されると、前記載置面は、前記支柱部の前記径方向外側に向けて水平面に対して鉛直下方に傾斜する、階層納骨構造。
【請求項２】
前記支柱部の長手方向に沿った端部は、前記少なくとも１つの階層納骨ユニットと連結自在である、請求項１に記載の階層納骨構造。
【請求項３】
前記階層納骨ユニットは、柱状の軸部材を更に備え、
前記支柱部は、前記軸部材の貫通可能な筒状であり、
前記軸部材は、前記支柱部を貫通して延びており、前記少なくとも１つの階層納骨ユニットの水平方向に沿った動きを規制する、請求項１又は請求項２に記載の階層納骨構造。
【請求項４】
前記階層納骨ユニットは、前記軸部材に対して前記支柱部を回転自在に支持する軸受部を更に備え、
前記軸受部は、転がり軸受を含む、請求項３に記載の階層納骨構造。
【請求項５】
複数の前記階層納骨ユニットの鉛直方向に沿った上端部を覆う天壁部と、
前記複数の階層納骨ユニットの鉛直方向に沿った下端部の下に配置される台部と
を更に備える、請求項１から請求項４のいずれか１項に記載の階層納骨構造。